(57)【要約】【課題】被写体の種類に応じて画像枠に自動的にデザインを加えるアルバム作成装置を提供すること。【解決手段】本発明に係る撮像装置は、複数の画像を格納する画像格納部と、画像格納部が格納している画像を、アルバムに配置する画像配置部と、画像配置部がアルバムに配置した画像に含まれるオブジェクトの種別に応じた、アルバムのデザイン化量を決定するデザイン化量決定部と、デザイン化量決定部が決定したデザイン化量がより大きい場合に、画像配置部がアルバムに配置する画像の枠形状を矩形形状からより大きく変形させてデザイン化を施すデザイン化部とを備える。【選択図】図３
2006331393.tif 000002
【特許請求の範囲】
【請求項１】
複数の画像を格納する画像格納部と、
前記画像格納部が格納している画像を、アルバムに配置する画像配置部と、
前記画像配置部がアルバムに配置した画像に含まれるオブジェクトの種別に応じた、アルバムのデザイン化量を決定するデザイン化量決定部と、
前記デザイン化量決定部が決定したデザイン化量に対応させて、前記画像配置部がアルバムに配置する画像の枠形状にデザイン化を施すデザイン化部と
を備えるアルバム作成装置。
【請求項２】
前記デザイン化部は、前記デザイン化量決定部が決定したデザイン化量がより大きい場合に、前記画像配置部がアルバムに配置する画像の枠形状を矩形形状からより大きく変形させる
請求項１に記載のアルバム作成装置。
【請求項３】
前記画像格納部が格納している複数の画像のそれぞれに対応づけて、当該画像が撮像される前の動画情報、及び当該画像が撮像された後の動画情報の少なくとも一方を格納する動画情報格納部と、
前記動画情報格納部が格納している動画情報に基づいて、前記画像配置部が前記アルバムに配置した画像に含まれるオブジェクトの動きを算出するオブジェクト動き算出部と
をさらに備え、
前記デザイン化量決定部は、前記オブジェクト動き算出部が算出したオブジェクトの動きに応じた、アルバムのデザイン化量を決定する
請求項１に記載のアルバム作成装置。
【請求項４】
前記デザイン化量決定部は、前記オブジェクト動き算出部が算出したオブジェクトの動きの周波数がより高い場合に、アルバムのデザイン化量をより大きく決定する
請求項３に記載のアルバム作成装置。
【請求項５】
前記画像格納部が格納している複数の画像のそれぞれに対応づけて、当該画像が撮像されたときに録音された音声を格納する音声格納部
をさらに備え、
前記デザイン化量決定部は、前記音声格納部に格納される音声に基づいて、前記画像配置部がアルバムに配置した画像に含まれるオブジェクトの種別に応じた、アルバムのデザイン化量を決定する
請求項１に記載のアルバム作成装置。
【請求項６】
前記デザイン化量決定部は、前記音声格納部に格納される音声の周波数がより高い場合に、アルバムのデザイン化量をより大きく決定する
請求項５に記載のアルバム作成装置。
【請求項７】
オブジェクトの種別に対応づけてデザイン化量を格納するデザイン化量格納部と、
前記画像配置部がアルバムに配置した画像に含まれるオブジェクトの種別を特定するオブジェクト特定部と
をさらに備え、
前記デザイン化量決定部は、前記オブジェクト特定部が特定したオブジェクトの種別に対応づけて前記デザイン化量格納部が格納しているデザイン化量を選択し、
前記デザイン化部は、前記デザイン化量決定部が選択したデザイン化量に対応させて、前記画像配置部がアルバムに配置する画像の枠形状にデザイン化を施す
請求項１に記載のアルバム作成装置。
【請求項８】
アルバムにおける複数の画像の配置を定めたアルバムテンプレートを複数格納するアルバムテンプレート格納部と、
前記アルバムテンプレート格納部が格納している複数のアルバムテンプレートから１つのアルバムテンプレートを選択するアルバムテンプレート選択部と
をさらに備え、
前記画像配置部は、前記アルバムテンプレート選択部が選択したアルバムテンプレートに応じて、前記画像格納部が格納している画像を配置し、
前記デザイン化部は、前記デザイン化量決定部が決定したデザイン化量に対応させて、前記画像配置部がアルバムテンプレートに配置した画像の枠形状にデザイン化を施す
請求項１に記載のアルバム作成装置。
【請求項９】
前記画像配置部がアルバムに配置した画像の画質を判断する画質判断部
をさらに備え、
前記デザイン化量決定部は、前記画質判断部が算出した画質がより低い場合に、アルバムのデザイン化量をより大きく決定する
請求項１に記載のアルバム作成装置。
【請求項１０】
アルバムに使用するテキストを取得するテキスト取得部
をさらに備え、
前記デザイン化量決定部は、前記テキスト取得部が取得したテキストの内容に応じて、アルバムのデザイン化量を決定する
請求項１に記載のアルバム作成装置。
【請求項１１】
テキストの内容に対応づけてデザイン化量を格納するデザイン化量格納部
をさらに備え、
前記デザイン化量決定部は、前記テキスト取得部が取得したテキストの内容に対応づけて前記デザイン化量格納部が格納しているデザイン化量を選択する
請求項１０に記載のアルバム作成装置。
【請求項１２】
前記デザイン化部は、前記デザイン化量決定部が決定したデザイン化量がより大きい場合に、前記画像配置部がアルバムに配置する複数の画像の枠の面積のばらつきをより大きくさせる
請求項１に記載のアルバム作成装置。
【請求項１３】
前記デザイン化部は、前記デザイン化量決定部が決定したデザイン化量がより大きい場合に、前記画像配置部がアルバムに配置する複数の画像の枠の傾きのばらつきをより大きくさせる
請求項１に記載のアルバム作成装置。
【請求項１４】
前記デザイン化部は、前記デザイン化量決定部が決定したデザイン化量がより大きい場合に、前記画像配置部がアルバムに配置する画像に対する色の変更量をより大きくする
請求項１に記載のアルバム作成装置。
【請求項１５】
前記デザイン化部は、前記デザイン化量決定部が決定したデザイン化量がより大きい場合に、アルバムに配置されるテキストとして、より装飾された文字を選択する
請求項１に記載のアルバム作成装置。
【請求項１６】
前記アルバム作成装置は、複数の画像を連続的に表示させるアルバムデータを作成し、
前記画像配置部は、連続する表示タイミングにおいて異なる位置に同一の画像を表示させるべく配置し、
前記デザイン化部は、前記デザイン化量決定部が決定したデザイン化量がより大きい場合に、前記画像配置部が連続するタイミングにおいて異なる位置に表示させるべく配置する同一の画像の位置に関する加速度をより大きくする
請求項１に記載のアルバム作成装置。
【請求項１７】
前記デザイン化量決定部は、アルバムにおいて連続する複数のページのそれぞれにおいて複数のデザイン化の種類毎のデザイン化量を成分とするデザイン化量ベクトルを算出し、連続するページの間において算出したデザイン化量ベクトルの方向の変化量が予め定められた大きさより小さくなるよう、連続するページにおけるそれぞれのデザイン化量ベクトルを決定する
請求項１に記載のアルバム作成装置。
【請求項１８】
複数の画像を格納する画像格納段階と、
前記画像格納段階において格納されている画像を、アルバムに配置する画像配置段階と、
前記画像配置段階においてアルバムに配置された画像に含まれるオブジェクトの種別に応じた、アルバムのデザイン化量を決定するデザイン化量決定段階と、
前記デザイン化量決定段階において決定されたデザイン化量に対応させて、前記画像配置段階においてアルバムに配置される画像の枠形状にデザイン化を施すデザイン化段階と
を備えるアルバム作成方法。
【請求項１９】
アルバムを作成するアルバム作成装置用のプログラムであって、前記アルバム作成装置を、
複数の画像を格納する画像格納部、
前記画像格納部が格納している画像を、アルバムに配置する画像配置部、
前記画像配置部がアルバムに配置した画像に含まれるオブジェクトの種別に応じた、アルバムのデザイン化量を決定するデザイン化量決定部、
前記デザイン化量決定部が決定したデザイン化量に対応させて、前記画像配置部がアルバムに配置する画像の枠形状にデザイン化を施すデザイン化部
として機能させるプログラム。
【請求項２０】
複数の画像を格納する画像格納部と、
前記画像格納部が格納している画像を、アルバムに配置する画像配置部と、
前記画像配置部がアルバムに配置した画像の画質を判断する画質判断部と、
前記画質判断部が算出した画質がより低い場合に、アルバムのデザイン化量をより大きく決定するデザイン化量決定部と、
前記デザイン化量決定部が決定したデザイン化量に対応させて、前記画像配置部がアルバムに配置する画像にデザイン化を施すデザイン化部と
を備えるアルバム作成装置。
【請求項２１】
複数の画像を格納する画像格納段階と、
前記画像格納段階において格納されている画像を、アルバムに配置する画像配置段階と、
前記画像配置段階においてアルバムに配置された画像の画質を判断する画質判断段階と、
前記画質判断段階において算出された画質がより低い場合に、アルバムのデザイン化量をより大きく決定するデザイン化量決定段階と、
前記デザイン化量決定段階において決定されたデザイン化量に対応させて、前記画像配置段階においてアルバムに配置される画像にデザイン化を施すデザイン化段階と
を備えるアルバム作成方法。
【請求項２２】
アルバムを作成するアルバム作成装置用のプログラムであって、前記アルバム作成装置を、
複数の画像を格納する画像格納部、
前記画像格納部が格納している画像を、アルバムに配置する画像配置部、
前記画像配置部がアルバムに配置した画像の画質を判断する画質判断部、
前記画質判断部が算出した画質がより低い場合に、アルバムのデザイン化量をより大きく決定するデザイン化量決定部、
前記デザイン化量決定部が決定したデザイン化量に対応させて、前記画像配置部がアルバムに配置する画像にデザイン化を施すデザイン化部
として機能させるプログラム。
【発明の詳細な説明】
【技術分野】
【０００１】
本発明は、アルバム作成装置、アルバム作成方法、及びプログラムに関する。特に本発明は、アルバムを作成するアルバム作成装置及びアルバム作成方法、並びに、アルバム作成装置用のプログラムに関する。
【０００２】
旅行先で撮影した画像データに付帯された位置情報、撮影時間情報等のタグ情報を元にして、画面の中心に旅行先の地図を配置して、地図の周囲に配置された画像と地図上における撮像位置とを線で結ぶなどして、地図と画像との関連がわかるようにレイアウトされたアルバムを作成する技術が知られている（例えば、特許文献１参照。）。
【特許文献１】特開平１０−１２６７３１号公報
【発明の開示】
【発明が解決しようとする課題】
【０００３】
しかしながら、特許文献１によると、画像の被写体の種類に応じて画像にデザインを施してアルバムを作成する技術については開示されていない。例えば、被写体が子供、子犬等、可愛らしい被写体の画像に対しては、画像の枠形状に曲率を加えると、被写体の可愛らしさを閲覧者に的確に伝えることができる。また、被写体の人物がはしゃいでいる画像に対しても、画像の枠形状に曲率を加えることによって、楽しげな様子を閲覧者に伝えることができる。しかし、アルバムの作成者が画像の内容を確認して画像枠に変形を加えるのには手間がかかるので好ましくない。
【０００４】
そこで本発明は、上記の課題を解決することができるアルバム作成装置、アルバム作成方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態におけるアルバム作成装置は、複数の画像を格納する画像格納部と、画像格納部が格納している画像を、アルバムに配置する画像配置部と、画像配置部がアルバムに配置した画像に含まれるオブジェクトの種別に応じた、アルバムのデザイン化量を決定するデザイン化量決定部と、デザイン化量決定部が決定したデザイン化量に対応させて、画像配置部がアルバムに配置する画像の枠形状にデザイン化を施すデザイン化部とを備える。
【０００６】
デザイン化部は、デザイン化量決定部が決定したデザイン化量がより大きい場合に、画像配置部がアルバムに配置する画像の枠形状を矩形形状からより大きく変形させてよい。
【０００７】
画像格納部が格納している複数の画像のそれぞれに対応づけて、当該画像が撮像される前の動画情報、及び当該画像が撮像された後の動画情報の少なくとも一方を格納する動画情報格納部と、動画情報格納部が格納している動画情報に基づいて、画像配置部がアルバムに配置した画像に含まれるオブジェクトの動きを算出するオブジェクト動き算出部とをさらに備え、デザイン化量決定部は、オブジェクト動き算出部が算出したオブジェクトの動きに応じた、アルバムのデザイン化量を決定してよい。
【０００８】
デザイン化量決定部は、オブジェクト動き算出部が算出したオブジェクトの動きの周波数がより高い場合に、アルバムのデザイン化量をより大きく決定してよい。
【０００９】
画像格納部が格納している複数の画像のそれぞれに対応づけて、当該画像が撮像されたときに録音された音声を格納する音声格納部をさらに備え、デザイン化量決定部は、音声格納部に格納される音声に基づいて、画像配置部がアルバムに配置した画像に含まれるオブジェクトの種別に応じた、アルバムのデザイン化量を決定してよい。
【００１０】
デザイン化量決定部は、音声格納部に格納される音声の周波数がより高い場合に、アルバムのデザイン化量をより大きく決定してよい。
【００１１】
オブジェクトの種別に対応づけてデザイン化量を格納するデザイン化量格納部と、画像配置部がアルバムに配置した画像に含まれるオブジェクトの種別を特定するオブジェクト特定部とをさらに備え、デザイン化量決定部は、オブジェクト特定部が特定したオブジェクトの種別に対応づけてデザイン化量格納部が格納しているデザイン化量を選択し、デザイン化部は、デザイン化量決定部が選択したデザイン化量に対応させて、画像配置部がアルバムに配置する画像の枠形状にデザイン化を施してよい。
【００１２】
アルバムにおける複数の画像の配置を定めたアルバムテンプレートを複数格納するアルバムテンプレート格納部と、アルバムテンプレート格納部が格納している複数のアルバムテンプレートから１つのアルバムテンプレートを選択するアルバムテンプレート選択部とをさらに備え、画像配置部は、アルバムテンプレート選択部が選択したアルバムテンプレートに応じて、画像格納部が格納している画像を配置し、デザイン化部は、デザイン化量決定部が決定したデザイン化量に対応させて、画像配置部がアルバムテンプレートに配置した画像の枠形状にデザイン化を施してよい。
【００１３】
画像配置部がアルバムに配置した画像の画質を判断する画質判断部をさらに備え、デザイン化量決定部は、画質判断部が算出した画質がより低い場合に、アルバムのデザイン化量をより大きく決定してよい。
【００１４】
アルバムに使用するテキストを取得するテキスト取得部をさらに備え、デザイン化量決定部は、テキスト取得部が取得したテキストの内容に応じて、アルバムのデザイン化量を決定してよい。テキストの内容に対応づけてデザイン化量を格納するデザイン化量格納部をさらに備え、デザイン化量決定部は、テキスト取得部が取得したテキストの内容に対応づけてデザイン化量格納部が格納しているデザイン化量を選択してよい。
【００１５】
デザイン化部は、デザイン化量決定部が決定したデザイン化量がより大きい場合に、画像配置部がアルバムに配置する複数の画像の枠の面積のばらつきをより大きくさせてよい。また、デザイン化部は、デザイン化量決定部が決定したデザイン化量がより大きい場合に、画像配置部がアルバムに配置する複数の画像の枠の傾きのばらつきをより大きくさせてよい。
【００１６】
デザイン化部は、デザイン化量決定部が決定したデザイン化量がより大きい場合に、画像配置部がアルバムに配置する画像に対する色の変更量をより大きくしてよい。また、デザイン化部は、デザイン化量決定部が決定したデザイン化量がより大きい場合に、アルバムに配置されるテキストとして、より装飾された文字を選択してよい。
【００１７】
アルバム作成装置は、複数の画像を連続的に表示させるアルバムデータを作成し、画像配置部は、連続する表示タイミングにおいて異なる位置に同一の画像を表示させるべく配置し、デザイン化部は、デザイン化量決定部が決定したデザイン化量がより大きい場合に、画像配置部が連続するタイミングにおいて異なる位置に表示させるべく配置する同一の画像の位置に関する加速度をより大きくしてよい。
【００１８】
デザイン化量決定部は、アルバムにおいて連続する複数のページのそれぞれにおいて複数のデザイン化の種類毎のデザイン化量を成分とするデザイン化量ベクトルを算出し、連続するページの間において算出したデザイン化量ベクトルの方向の変化量が予め定められた大きさより小さくなるよう、連続するページにおけるそれぞれのデザイン化量ベクトルを決定してよい。
【００１９】
本発明の第２の形態におけるアルバム作成方法は、複数の画像を格納する画像格納段階と、画像格納段階において格納されている画像を、アルバムに配置する画像配置段階と、画像配置段階においてアルバムに配置された画像に含まれるオブジェクトの種別に応じた、アルバムのデザイン化量を決定するデザイン化量決定段階と、デザイン化量決定段階において決定されたデザイン化量に対応させて、画像配置段階においてアルバムに配置される画像の枠形状にデザイン化を施すデザイン化段階とを備える。
【００２０】
本発明の第３の形態によると、アルバムを作成するアルバム作成装置用のプログラムであって、アルバム作成装置を、複数の画像を格納する画像格納部、画像格納部が格納している画像を、アルバムに配置する画像配置部、画像配置部がアルバムに配置した画像に含まれるオブジェクトの種別に応じた、アルバムのデザイン化量を決定するデザイン化量決定部、デザイン化量決定部が決定したデザイン化量に対応させて、画像配置部がアルバムに配置する画像の枠形状にデザイン化を施すデザイン化部として機能させる。
【００２１】
本発明の第４の形態におけるアルバム作成装置は、複数の画像を格納する画像格納部と、画像格納部が格納している画像を、アルバムに配置する画像配置部と、画像配置部がアルバムに配置した画像の画質を判断する画質判断部と、画質判断部が算出した画質がより低い場合に、アルバムのデザイン化量をより大きく決定するデザイン化量決定部と、デザイン化量決定部が決定したデザイン化量に対応させて、画像配置部がアルバムに配置する画像にデザイン化を施すデザイン化部とを備える。
【００２２】
本発明の第５の形態におけるアルバム作成方法は、複数の画像を格納する画像格納段階と、画像格納段階において格納されている画像を、アルバムに配置する画像配置段階と、画像配置段階においてアルバムに配置された画像の画質を判断する画質判断段階と、画質判断段階において算出された画質がより低い場合に、アルバムのデザイン化量をより大きく決定するデザイン化量決定段階と、デザイン化量決定段階において決定されたデザイン化量に対応させて、画像配置段階においてアルバムに配置される画像にデザイン化を施すデザイン化段階とを備える。
【００２３】
本発明の第６の形態によると、アルバムを作成するアルバム作成装置用のプログラムであって、アルバム作成装置を、複数の画像を格納する画像格納部、画像格納部が格納している画像を、アルバムに配置する画像配置部、画像配置部がアルバムに配置した画像の画質を判断する画質判断部、画質判断部が算出した画質がより低い場合に、アルバムのデザイン化量をより大きく決定するデザイン化量決定部、デザイン化量決定部が決定したデザイン化量に対応させて、画像配置部がアルバムに配置する画像にデザイン化を施すデザイン化部として機能させる。
【００２４】
なお上記の発明の概要は、本発明の必要な特徴の全てを列挙したものではなく、これらの特徴群のサブコンビネーションもまた発明となりうる。
【発明の効果】
【００２５】
本発明によれば、被写体の種類に応じて画像枠に自動的にデザインを加えるアルバム作成装置を提供することができる。
【発明を実施するための最良の形態】
【００２６】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００２７】
図１は、本発明の一実施形態に係るアルバム作成システム１７０の利用環境の一例を示す。アルバム作成システム１７０は、撮像装置１００及びアルバム作成装置１３０を備える。撮像装置１００は、ユーザ１８０の指示により被写体を撮像する。このとき、撮像装置１００は、集音部１０４から撮像装置１００の周囲の音声を集音して録音するとともに、被写体の動きを写した動画を、撮像した画像に対応づけて記録しておく。
【００２８】
アルバム作成装置１３０は、撮像装置１００によって撮像された画像、音声、及び動画を、インターネット等の通信回線１５０、半導体メモリ等の記録媒体等を介して受け取る。そして、アルバム作成装置１３０は、アルバムの各ページに画像を配置する。そして、アルバム作成装置１３０は、撮像装置１００から受け取った画像の被写体の種別を判断する。そしてアルバム作成装置１３０は、被写体の種別に応じて、画像を収める画像枠の形状の変形量を設定する。例えば、子犬の画像を収める画像枠に対しては、矩形の画像枠に対して曲率を加えて、丸みがかった画像枠に設定する。
【００２９】
またアルバム作成装置１３０は、撮像装置１００から取得した動画から被写体の動きの周波数成分を検出して、より高い周波数成分が検出された場合に、画像枠の形状の変形量をさらに大きく設定する。また、アルバム作成装置１３０は、撮像装置１００から取得した音声データから、撮像装置１００の周囲の音声の周波数成分を検出して、より高い周波数成分が検出された場合に、画像枠の形状の変形量をさらに大きく設定する。そして、アルバム作成装置１３０は、設定された変形量に応じて画像枠を変形させる。そして、アルバム作成装置１３０は、生成したアルバムデータを、ディスプレイ、プリンタ等の外部の出力デバイスに出力する。
【００３０】
なお、アルバム作成装置１３０は、パーソナルコンピュータ、電子アルバム、電子フォトスタンド、ＨＤＴＶ等であってよい。また、撮像装置１００は、デジタルスチルカメラ、ビデオカメラであってよく、カメラ付携帯電話、撮像機能を有するＰＤＡ等の携帯情報端末等であってもよい。
【００３１】
画像は、被写体の種類によって、情報的な画像と感情的な画像とに大別される。例えば、子犬が写っている画像は、かわいいという感情を閲覧者に生じさせるので、感情的な画像といえる。一方、例えば事業所のビルが写っている画像は、例えば事業の内容を閲覧者に連想させたりするので、情報的な画像といえる。本実施形態のアルバム作成システム１７０によれば、アルバム作成装置１３０が例えば子犬の画像が収められた画像枠を丸みがかった画像枠に変形させることによって、閲覧者に対して感情的な情景を的確に伝えることができる。また、例えば被写体が事業所のビルである場合、アルバム作成装置１３０は、その画像が収められた画像枠には矩形の画像枠からの変形を加えないことによって、情報的な内容を閲覧者に伝えることができる。
【００３２】
また、アルバム作成装置１３０は、撮像装置１００によって撮像された音声、被写体の動き等に応じて更に変形量を加減することができる。このため、ユーザ１８０は、撮像装置１００及びアルバム作成装置１３０を用いることによって、被写体の情景が適切に表現されたアルバムを容易に得ることができる。
【００３３】
図２は、アルバム作成装置１３０のデザイン結果の一例を示す。図２の例は、画像２０２、２０４、及び２０６がレイアウトされたアルバムの１ページの例を示す。アルバム作成装置１３０は、被写体が男性の大人の画像が収められる画像枠２５４に対しては矩形からの変形させない。そして、アルバム作成装置１３０は、被写体が子供の画像が収められる画像枠２５４、被写体が子犬の画像が収められる画像枠２５６に対しては、矩形から変形させて可愛らしさを強調する。このため、アルバム作成装置１３０は、ユーザ１８０が画像の被写体から受けるイメージと、画像枠から受けるイメージとを調和させることができる。
【００３４】
なお、アルバム作成装置１３０は、アルバムにおける画像の配置を定めたテンプレートを有していてよい。図２の例では、各画像がはめ込まれる位置及び大きさが規定された複数の画像枠（２５２、２５４、及び２５６）を、テンプレートとして格納する。そしてアルバム作成装置１３０は、各画像枠に画像をはめ込むことによってアルバムを作成してよい。そして、アルバム作成装置１３０は、画像枠の形状を定めるパラメータを有していて、変形量に応じて当該パラメータを変化させることによって、画像枠の形状にデザイン化を施してよい。
【００３５】
図３は、アルバム作成装置１３０のブロック構成の一例を示す。アルバム作成装置１３０は、画像格納部３０４、動画情報格納部３６４、音声格納部３６６、オブジェクト動き算出部３６８、オブジェクト特定部３７２、画像配置部３７４、アルバムテンプレート格納部３７６、アルバムテンプレート選択部３７８、デザイン化量決定部３８０、デザイン化量格納部３８２、デザイン化部３８４、画質判断部３２０、及びテキスト取得部３３０を備える。
【００３６】
画像格納部３０４は、複数の画像を格納する。具体的には、撮像装置１００が撮像した複数の画像を撮像装置１００から取得して格納する。
【００３７】
画像配置部３７４は、画像格納部３０４が格納している画像を、アルバムに配置する。そして、デザイン化量決定部３８０は、画像配置部３７４がアルバムに配置した画像に含まれるオブジェクトの種別に応じた、アルバムのデザイン化量を決定する。
【００３８】
デザイン化部３８４は、デザイン化量決定部３８０が決定したデザイン化量に対応させて、画像配置部３７４がアルバムに配置する画像の枠形状にデザイン化を施す。具体的には、デザイン化部３８４は、デザイン化量決定部３８０が決定したデザイン化量がより大きい場合に、画像配置部３７４がアルバムに配置する画像の枠形状を矩形形状からより大きく変形させる。このため、アルバム作成装置１３０は、被写体の種類毎に閲覧者に与える印象に応じて、画像枠を自動的にデザイン化することができる。
【００３９】
なお、デザイン化量とは、例えば、画像枠の円形度であったり、画像枠における平均的な曲率の大きさを示す指標であってよい。他にもデザイン化量とは、矩形形状の画像枠に対して変形させた部分の面積の割合、画像枠における角の数等を示す指標であってよい。
【００４０】
デザイン化量格納部３８２は、オブジェクトの種別に対応づけてデザイン化量を格納する。オブジェクト特定部３７２は、画像配置部３７４がアルバムに配置した画像に含まれるオブジェクトの種別を特定する。例えば、オブジェクト特定部３７２は、画像配置部３７４がアルバムに配置した画像に含まれるオブジェクトの輪郭をエッジ抽出等によって抽出して、抽出したオブジェクトの輪郭を、オブジェクトの種類毎に予め定められたオブジェクトの輪郭と比較することによって、オブジェクトの種類を特定する。
【００４１】
そして、デザイン化量決定部３８０は、オブジェクト特定部３７２が特定したオブジェクトの種別に対応づけてデザイン化量格納部３８２が格納しているデザイン化量を選択してよい。そして、デザイン化部３８４は、デザイン化量決定部３８０が選択したデザイン化量に対応させて、画像配置部３７４がアルバムに配置する画像の枠形状にデザイン化を施してよい。このため、アルバム作成装置１３０は、被写体の種類に応じて適切にデザイン化を施すことができる。
【００４２】
なお、デザイン化量格納部３８２は、アルバム作成装置１３０の外部からオブジェクト毎のデザイン化量を取得してよい。例えば、インターネット等の通信回線１５０からオブジェクト毎のデザイン化量を取得してよいし、ＣＤ−ＲＯＭ、半導体メモリ等の記録媒体からオブジェクト毎のデザイン化量を取得してもよい。
【００４３】
また、オブジェクト特定部３７２は、画像配置部３７４がアルバムに配置した画像に含まれるオブジェクトのうち、種類を特定すべきオブジェクトとして、面積のより大きいオブジェクトを優先的に選択してよい。また、オブジェクト特定部３７２は、画像配置部３７４がアルバムに配置した画像に含まれるオブジェクトのうち、種類を特定すべきオブジェクトとして、より中央の画像領域に位置するオブジェクトを優先的に選択してもよいし、より合焦ポイントの位置により近い画像領域に位置するオブジェクトを優先的に選択してもよい。
【００４４】
動画情報格納部３６４は、画像格納部３０４が格納している複数の画像のそれぞれに対応づけて、当該画像が撮像される前の動画情報、及び当該画像が撮像された後の動画情報の少なくとも一方を格納する。具体的には、動画情報格納部３６４は、撮像装置１００によって撮像された複数の画像に対応づけられた動画データを取得して格納する。
【００４５】
オブジェクト動き算出部３６８は、動画情報格納部３６４が格納している動画情報に基づいて、画像配置部３７４がアルバムに配置した画像に含まれるオブジェクトの動きを算出する。そして、デザイン化量決定部３８０は、オブジェクト動き算出部３６８が算出したオブジェクトの動きに応じた、アルバムのデザイン化量を決定する。具体的には、デザイン化量決定部３８０は、オブジェクト動き算出部３６８が算出したオブジェクトの動きの周波数がより高い場合に、アルバムのデザイン化量をより大きく決定する。このため、アルバム作成装置１３０は被写体の動きの特徴に基づいて自動的に画像枠をデザイン化することができる。
【００４６】
音声格納部３６６は、画像格納部３０４が格納している複数の画像のそれぞれに対応づけて、当該画像が撮像されたときに録音された音声を格納する。具体的には、音声格納部３６６は、撮像装置１００が録音した音声を取得して格納する。そして、デザイン化量決定部３８０は、音声格納部３６６に格納される音声に基づいて、画像配置部３７４がアルバムに配置した画像に含まれるオブジェクトの種別に応じた、アルバムのデザイン化量を決定する。具体的には、デザイン化量決定部３８０は、音声格納部３６６に格納される音声の周波数がより高い場合に、アルバムのデザイン化量をより大きく決定する。
【００４７】
アルバムテンプレート格納部３７６は、アルバムにおける複数の画像の配置を定めたアルバムテンプレートを複数格納する。アルバムテンプレート選択部３７８は、アルバムテンプレート格納部３７６が格納している複数のアルバムテンプレートから１つのアルバムテンプレートを選択する。なお、アルバムテンプレート選択部３７８は、ユーザ１８０の指示に基づいてアルバムのテンプレートを選択してもよい。
【００４８】
この場合、画像配置部３７４は、アルバムテンプレート選択部３７８が選択したアルバムテンプレートに応じて、画像格納部３０４が格納している画像を配置する。なお、画像配置部３７４は、アルバムのテンプレートに配置する画像をユーザ１８０の指示に基づいて決定してもよい。そして、デザイン化部３８４は、デザイン化量決定部３８０が決定したデザイン化量に対応させて、画像配置部３７４がアルバムテンプレートに配置した画像の枠形状にデザイン化を施す。このため、アルバム作成装置１３０は、画像をテンプレートに当てはめて、テンプレートの枠形状を変化させるだけでアルバムを作成することができるので、より高速にアルバムを出力することができる。
【００４９】
なお、デザイン化部３８４は、デザイン化量決定部３８０が決定したデザイン化量がより大きい場合に、画像配置部３７４がアルバムに配置する複数の画像の枠の面積のばらつきをより大きくさせる。また、デザイン化部３８４は、デザイン化量決定部３８０が決定したデザイン化量がより大きい場合に、画像配置部３７４がアルバムに配置する複数の画像の枠の傾きのばらつきをより大きくさせてよい。また、デザイン化部３８４は、デザイン化量決定部３８０が決定したデザイン化量がより大きい場合に、アルバムに配置されるテキストとして、より装飾された文字を選択する。
【００５０】
また、デザイン化部３８４は、デザイン化量決定部３８０が決定したデザイン化量がより大きい場合に、画像配置部３７４がアルバムに配置する画像に対する色の変更量をより大きくする。例えば、デザイン化部３８４は、デザイン化量決定部３８０が決定したデザイン化量がより大きい場合に、画像にエフェクトを施す場合の処理量を大きくしてよい。なお、処理量とは、例えば色、輝度の変化量であってよい。色、輝度の変化量とは、変化した色の数、変化した色の色差の大きさ、変化した輝度の大きさを指標とする値であってよい。また、デザイン化部３８４は、デザイン化量決定部３８０が決定したデザイン化量がより大きい場合に、トリミングを施す場合の処理量（例えば、面積の変化量等）、画像に対する装飾度（例えば、画像に配する装飾画像の個数、装飾画像の面積等）を、大きくしてよい。
【００５１】
なお、アルバム作成装置１３０が、スライドショー等の、複数の画像を連続的に表示させるアルバムデータを作成する場合において、画像配置部３７４は、連続する表示タイミングにおいて異なる位置に同一の画像を表示させるべく配置する場合には、デザイン化部３８４は、デザイン化量決定部３８０が決定したデザイン化量がより大きい場合に、画像配置部３７４が連続するタイミングにおいて異なる位置に表示させるべく配置する同一の画像の位置に関する加速度をより大きくする。
【００５２】
デザイン化量決定部３８０は、アルバムにおいて連続する複数のページのそれぞれにおいて複数のデザイン化の種類毎のデザイン化量を成分とするデザイン化量ベクトルを算出し、連続するページの間において算出したデザイン化量ベクトルの方向の変化量が予め定められた大きさより小さくなるよう、連続するページにおけるそれぞれのデザイン化量ベクトルを決定する。このため、アルバム作成装置１３０は、デザイン化の方向が各ページにおいてばらばらなアルバムが作成されてしまうことを未然に防ぐことができる。
【００５３】
画質判断部３２０は、画像配置部３７４がアルバムに配置した画像の画質を判断する。例えば、画質判断部３２０は、画像配置部３７４がアルバムに配置した画像の空間周波数を算出して、算出した空間周波数の強度分布がより大きい周波数領域に分布している場合に、画質をより高く算出してよい。そして、デザイン化量決定部３８０は、画質判断部３２０が算出した画質がより低い場合に、アルバムのデザイン化量をより大きく決定する。そして、デザイン化部３８４は、デザイン化量決定部３８０が決定したデザイン化量に対応させて、画像配置部３７４がアルバムに配置する画像にデザイン化を施す。したがって、アルバム作成装置１３０は、画質の低い画像に対して様々なデザイン化を施すことができるので、アルバムにおいて画像の画質の低さを目立たなくすることができる。
【００５４】
テキスト取得部３３０は、アルバムに使用するテキストを取得する。アルバムのタイトル、アルバムの各ページのタイトル又は各ページ内に使用するテキスト等を、ユーザ１８０から取得する。なお、テキスト取得部３３０は、音声格納部３６６が格納している音声から人物の声を抽出して解析することによって、抽出した音声からテキストを取得してもよい。そして、デザイン化量決定部３８０は、テキスト取得部３３０が取得したテキストの内容に応じて、アルバムのデザイン化量を決定する。
【００５５】
デザイン化量格納部３８２は、テキストの内容に対応づけてデザイン化量を格納する。そして、デザイン化量決定部３８０は、テキスト取得部３３０が取得したテキストの内容に対応づけてデザイン化量格納部３８２が格納しているデザイン化量を選択してよい。なお、デザイン化量格納部３８２は、画質、オブジェクトの種類等、デザイン化量を決定するための様々な要素に対応づけて、デザイン化量を格納してよい。
【００５６】
図４は、オブジェクトの動きに応じたデザイン化量の設定方法の一例を示す。撮像装置１００は、画像を時間的に連続的に撮像しており、連続的に撮像した画像を所定の枚数保持している。そして、ユーザ１８０によってレリーズボタンが押下されると、撮像装置１００は、レリーズボタンが押下された時刻に最も近い時刻ｔ４０４に撮像された画像４１４を取得するとともに、当該時刻を含む前及び／又は後の所定期間において撮像された複数の画像（４１３、４１５を含む）を動画情報として、画像４１４のタグ情報として付帯して格納する。
【００５７】
そして、動画情報格納部３６４は、撮像装置１００から画像４１４のタグ情報として付帯された画像を取得して格納する。そして、オブジェクト動き算出部３６８は、動画情報格納部３６４が格納する画像について、隣り合う時刻で撮像された画像同士の差分画像に対してエッジ抽出等を施して、画像上において変位したオブジェクトの輪郭を抽出する。図４の例では、子犬の尻尾の動きが差分画像に残るので、エッジ抽出等によって尻尾の動きを抽出する。そして、オブジェクト動き算出部３６８は、画像が撮像された時刻に基づいて、変位しているオブジェクトの画像上の位置の時間変化を算出し、算出した位置の時間変化に基づいて、オブジェクトの動きの周波数成分を算出する。
【００５８】
そして、デザイン化量決定部３８０は、より高い動きの周波数成分を持つ画像に対してより大きいデザイン化量を設定する。例えば、デザイン化量決定部３８０は、動きの周波数成分の平均値に比例した、デザイン化量に乗ずべき係数を決定し、決定した係数を、オブジェクトの種類に応じて格納されているデザイン化量に乗じてよい。このように、アルバム作成装置１３０は、例えば子犬が尻尾を振っている画像の画像枠を、人物が歩いている画像の画像枠よりも大きく変形させることができる。このため、アルバム作成装置１３０は、子犬の可愛らしい様子が強調された画像のアルバムをユーザ１８０に提供することができる。
【００５９】
図５は、撮像装置１００の周囲の音声に応じたデザイン化量の設定方法の一例を示す。撮像装置１００は、撮像装置１００の周囲の音声を連続的に録音しており、連続的に録音した音声データを所定の期間保持している。そして、ユーザ１８０によってレリーズボタンが押下されると、撮像装置１００は、レリーズボタンが押下されたタイミングを含む前及び／又は後の所定期間において録音された音声データを、レリーズボタンが押下された時刻に最も近い時刻で撮像された画像のタグ情報として付帯して格納する。そして、音声格納部３６６は、撮像装置１００から画像に付帯されたタグ情報から音声データを取得して格納する。そして、デザイン化量決定部３８０は、音声格納部３６６が格納する音声の周波数成分を算出する。
【００６０】
そして、デザイン化量決定部３８０は、より高い音声の周波数成分を持つ画像に対してより大きいデザイン化量を設定する。例えば、デザイン化量決定部３８０は、音声の周波数成分に対する平均値に比例した、デザイン化量に乗ずべき係数を決定し、決定した係数を、オブジェクトの種類に応じて格納されているデザイン化量に乗じた値を、新たなデザイン化量として決定してよい。このため、アルバム作成装置１３０は、子供の歓声、女性の声等が発せられた環境で撮像された画像に対しては、画像が配置される画像枠を自動的に変形させることができる。このため、アルバム作成装置１３０は、撮像装置１００によって撮像されたときの雰囲気を画像枠に反映させることができる。
【００６１】
なお、集音部１０４は、撮像装置１００の撮像方向と略同一の方向の集音指向性を有してよい。これにより、アルバム作成装置１３０は、被写体から発せられる音声に応じた量のデザイン化量を設定することができる。
【００６２】
図６は、アルバム作成装置１３０によるデザイン化の他の一例を示す。アルバムテンプレート格納部３７６は、アルバムを作成するための基準のテンプレート６００として、画像枠６０１〜６０４及びテキスト６０５を格納している。アルバム作成装置１３０は、アルバムテンプレート格納部３７６が格納している基準のテンプレート６００にはめ込む画像に様々なデザイン化を施してアルバムを作成する。
【００６３】
具体的には、デザイン化部３８４は、テンプレート６００に対して、デザイン化量決定部３８０が決定したデザイン化量に応じて画像枠の面積のばらつきを拡大することによって、デザイン化が施されたテンプレート６１０を生成する。具体的には、デザイン化部３８４は、画像枠６１１〜６１４のそれぞれの画像枠の面積と、画像枠６１１〜６１４の画像枠の平均面積との差を算出して、その差の合計値を、面積のばらつき量として算出する。そして、デザイン化部３８４は、デザイン化量決定部３８０が決定したデザイン化量に比例する面積のばらつき量を持つ画像枠６１１〜６１４を生成する。
【００６４】
また、デザイン化部３８４は、テンプレート６００に対して、デザイン化量決定部３８０が決定したデザイン化量に応じて画像枠の回転角のばらつきを拡大することによって、デザイン化が施されたテンプレート６２０を生成する。具体的には、デザイン化部３８４は、各画像枠６２１〜６２４について画像枠の平均回転角との差を算出して、その差の合計値を、回転角のばらつき量として算出する。そして、デザイン化部３８４は、デザイン化量決定部３８０が決定したデザイン化量に比例する回転角のばらつき量を持つ画像枠６２１〜６２４を生成する。
【００６５】
他にも、デザイン化部３８４は、画像枠６０１〜６０４に配置された画像に対して、デザイン化量決定部３８０が決定したデザイン化量に応じて画像処理を施すことによって、デザイン化が施された画像６４１〜６４４を生成する。具体的には、デザイン化部３８４は、各画像枠６０１に配置された画像に対してトリミング処理を施す。この場合、デザイン化部３８４は、例えばトリミング処理後の画像の面積と元の画像の面積との差（トリミングされた部分の画像の面積）を画像面積の変化量として算出する。そして、デザイン化部３８４は、デザイン化量決定部３８０が決定したデザイン化量に比例する画像面積の変化量でトリミングされた画像６４１を生成する。
【００６６】
また、デザイン化部３８４は、各画像枠６０２に配置された画像に対してオブジェクトを追加する処理を施す。この場合、デザイン化部３８４は、例えばオブジェクトが追加された画像と元の画像との間における、画素の輝度値の差（又は、色毎の輝度値の差）の合計量を、画像の差分量として算出する。そして、デザイン化部３８４は、デザイン化量決定部３８０が決定したデザイン化量に比例する画像の差分量を持つオブジェクトが追加された画像６４２を生成する。
【００６７】
また、デザイン化部３８４は、各画像枠６０２に配置された画像に対してグラデーション処理等、様々な画像処理を、画像枠に配置される画像に施してよい。そして、デザイン化部３８４は、デザイン化量決定部３８０が決定したデザイン化量に比例する画像の差分量となる画像処理が施された画像を生成して画像枠に配置してよい。
【００６８】
また、デザイン化部３８４は、テンプレート６００が定めているテキスト６０５の装飾を変更することによって、デザイン化を施してもよい。具体的には、デザイン化部３８４は、テンプレート６４０のテキスト６４５を、デザイン化量に応じた装飾度を持つフォントに変更する。なお、装飾度とは、基準のフォント（テキスト６０５のフォント）との差分量であってよい。なお、デザイン化部３８４は、デザイン化量に対応づけてフォントを予め格納しており、デザイン化量決定部３８０が決定したデザイン化量に対応づけて格納しているフォントをテキスト６０５に適用することによって、テキスト６０５にデザイン化を施してよい。
【００６９】
図７は、電子アルバムにおけるデザイン化の一例を示す。アルバム作成装置１３０は、電子アルバムを作成する場合には、上記で説明したデザイン化の他に、画像の移動に対してデザイン化を施すことができる。例えば、アルバムテンプレート格納部３７６が、画像が等速直線的に移動する旨を示す移動情報（例えば、画像枠の移動情報）を格納しているとき、デザイン化部３８４は、当該等速直線運動に、デザイン化量決定部３８０が決定したデザイン化量に比例する加速度の変化量を付加する。なお、加速度の変化量とは、画像が移動する移動方向の時間あたりの変化量（例えば、連続するフレーム画像において移動する画像の中心がＯ１、Ｏ２、Ｏ３と移動する場合においては、θ２）と、速さの時間あたりの変化量（例えば、連続するフレーム画像における移動する画像の中心位置の間の距離の変化量（例えば、ｖ１の大きさとｖ２の大きさの差））とが重み付けされて足し合わされた値であってよい。その他、アルバム作成装置１３０が電子アルバムを作成する場合には、デザイン化部３８４は、画像における輝度の時間的な変化量又は色の時間的な変化量等、画像が時間的に変化する場合の様々な変化量を、デザイン化量決定部３８０が決定したデザイン化量に応じて変化させることができる。
【００７０】
以上説明したように、デザイン化部３８４は、デザイン化量決定部３８０が決定したデザイン化量に応じて、画像枠の変形、画像枠の面積・角度のばらつき、画像処理、画像の移動等、様々な態様でデザイン化を施すことができる。
【００７１】
図８は、デザイン化量格納部３８２が格納するデザイン化量の一例を示す。デザイン化量格納部３８２は、テキストの内容に対応づけてデザイン化量を格納している。そして、デザイン化量決定部３８０は、テキスト取得部３３０が取得したテキストの内容に応じたデザイン化量を、デザイン化量格納部３８２から選択する。したがって、「ギャー」、「スイスイ」等の擬態語、愛称として人物等の名前に付加される「ちゃん」等の用語等に大きいデザイン化量を定めておくことによって、アルバム作成装置１３０は、入力されたテキストが閲覧者に与える印象にマッチするデザイン量を持つアルバムを作成することができる。
【００７２】
なお、本図において、デザイン化量格納部３８２はテキストの内容に応じたデザイン化量を格納している例について説明された。その他にも、デザイン化量格納部３８２は、オブジェクトの種類、オブジェクトの動き、装飾画質等、デザイン化量を決定する複数の指標に対応づけてデザイン化量を格納してよい。そして、デザイン化量決定部３８０は、デザイン化を決定する複数の指標のそれぞれに対応づけてデザイン化量格納部３８２が格納しているデザイン化量を合計した値を、デザイン化を施すべきデザイン化量として決定して、デザイン化部３８４に供給してよい。
【００７３】
図９は、デザイン化の方向及びデザイン化量に応じた大きさを持つデザイン化量ベクトルの一例を示す。デザイン化部３８４は、上記において説明した、画像枠の変形、画像枠の面積・角度のばらつき、画像処理、画像の移動を含むデザイン化の種類のそれぞれに、デザイン化量決定部３８０が決定したデザイン化量を割り振る。このとき、デザイン化部３８４は、各デザイン化の種類に割り振ったデザイン化量の合計値が、デザイン化量決定部３８０が決定したデザイン化量に一致するよう割り振る。この結果、デザイン化部３８４は、デザイン化量決定部３８０が決定したデザイン化量の大きさを持ち、各デザイン化の種類に割り振られたデザイン化量を成分とするデザイン化量ベクトルを生成することになる。
【００７４】
以下に、説明の複雑さを避けることを目的として、画像枠の面積のばらつき量に対するデザイン化量と、画像枠の角度のばらつき量に対するデザイン化量とを成分とする２次元のデザイン化量ベクトルを用いて、デザイン化量ベクトルの決定方法を説明する。デザイン化部３８４は、アルバムのページ毎に、デザイン化量ベクトルを算出する。ここで、第ｎページにおけるデザイン化量ベクトルをＡｎとする。そして、デザイン化部３８４は、第ｎページの次のページである第ｎ＋１ページにおけるデザイン化量ベクトルＡｎ＋１を決定するときに、デザイン化量ベクトルＡｎが示すベクトル方向からの変化量（例えば、θの大きさ）が予め定められた変化量より小さくなるよう、デザイン化量ベクトルＡｎ＋１を定める。これにより、連続するページ間で全く異なるデザインを持つアルバムが作成されてしまうことを未然に防ぐことができる。
【００７５】
なお、デザイン化部３８４は、第ｎ＋１ページにおけるデザイン化量ベクトルＡｎ＋１を決定する場合に、デザイン化量決定部３８０が決定した第ｎ＋１ページにおけるデザイン化量と、第ｎページにおけるデザイン化量との差を算出する。そして、デザイン化部３８４は、算出したデザイン化量の差がより大きい場合に、デザイン化量ベクトルＡｎにより近い角度を持つデザイン化量ベクトルＡｎ＋１を決定してよい。なお、ページとは、見開きページであってよいし、見開きページを構成する一のページであってよもい。また、電子アルバムにおいては、ページとは、表示デバイスにおいて閲覧者が一度に閲覧可能な表示領域であってよい。
【００７６】
以上説明したアルバム作成システム１７０によれば、アルバムに収める画像に写っている被写体の種類と被写体のしぐさ、並びに、画像が撮像されたときの音声の特徴に応じて、画像が収められる画像枠を適切な量だけ自動的に変形させることができる。このため、ユーザ１８０は、アルバム作成システム１７０を用いることによって、画像の特徴がより強調されたアルバムを容易に得ることができる。
【００７７】
図１０は、アルバム作成装置１３０のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７８】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７９】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介してアルバム作成装置１３０と通信し、アルバム作成装置１３０にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００８０】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００８１】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介してアルバム作成装置１３０に送信される。アルバム作成装置１３０に送信されたプログラムは、アルバム作成装置１３０においてインストールされて実行される。
【００８２】
アルバム作成装置１３０にインストールされて実行されるプログラムは、アルバム作成装置１３０を、図１から図５において説明した画像格納部３０４、動画情報格納部３６４、音声格納部３６６、オブジェクト動き算出部３６８、オブジェクト特定部３７２、画像配置部３７４、アルバムテンプレート格納部３７６、アルバムテンプレート選択部３７８、デザイン化量決定部３８０、デザイン化量格納部３８２、デザイン化部３８４、画質判断部３２０、及びテキスト取得部３３０として機能させる。
【００８３】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００８４】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００８５】
【図１】アルバム作成システム１７０の利用環境の一例を示す図である。
【図２】アルバム作成システム１７０による出力の一例を示す図である。
【図３】アルバム作成装置１３０のブロック構成の一例を示す図である。
【図４】オブジェクトの動きに応じたデザイン化量の設定方法の一例を示す図である。
【図５】撮像装置１００の周囲の音声に応じたデザイン化量の設定方法の一例を示す図である。
【図６】アルバム作成装置１３０によるデザイン化の他の一例を示す図である。
【図７】電子アルバムにおけるデザイン化の一例を示す図である。
【図８】デザイン化量格納部３８２が格納するデザイン化量の一例を示す図である。
【図９】デザイン化量ベクトルの一例を示す図である。
【図１０】アルバム作成装置１３０のハードウェア構成の一例を示す図である。
【符号の説明】
【００８６】
１００  撮像装置
１０４  集音部
１３０  アルバム作成装置
１５０  通信回線
１７０  アルバム作成システム
１８０  ユーザ
３０４  画像格納部
３２０  画質判断部
３３０  テキスト取得部
３６４  動画情報格納部
３６６  音声格納部
３６８  オブジェクト動き算出部
３７２  オブジェクト特定部
３７４  画像配置部
３７６  アルバムテンプレート格納部
３７８  アルバムテンプレート選択部
３８０  デザイン化量決定部
３８２  デザイン化量格納部
３８４  デザイン化部
【図１】
2006331393.tif 000003
【図２】
2006331393.tif 000004
【図３】
2006331393.tif 000005
【図４】
2006331393.tif 000006
【図５】
2006331393.tif 000007
【図６】
2006331393.tif 000008
【図７】
2006331393.tif 000009
【図８】
2006331393.tif 000010
【図９】
2006331393.tif 000011
【図１０】
2006331393.tif 000012